(57)【要約】【課題】例えばユーザの熟練度に応じて、ヘルプ情報を提供したり、機能設定の状態を初期の設定状態に戻したりできるようにする。【解決手段】セルフタイマーボタン１２、照明ボタン１６、ＡＥロックボタン１４等の操作があったときにヘルプ情報を表示するに際して、全自動モード７１もしくはイメージゾーン７２の撮影モードであれば、ユーザがカメラ操作に熟練していない可能性を考慮し、平易な用語を使用し分かりやすい文言でヘルプ情報を表示し、クリエイティブゾーン７０の撮影モードであれば、ユーザがある程度カメラ操作に熟練している可能性を考慮し、必要に応じて専門的な用語も含めて簡潔で認識しやすい文言でヘルプ情報を表示する。【選択図】図１
2007142884.tif 000002
【特許請求の範囲】
【請求項１】
所定の操作部材の操作に応じてガイダンス表示を行う撮像装置において、
前記撮像装置の動作モードを設定するモード設定手段と、
前記モード設定手段にて設定される動作モードに応じて、表示されるガイダンスの内容を変更するガイダンス表示変更手段とを有することを特徴とする撮像装置。
【請求項２】
前記モード設定手段は、前記撮像装置の撮影モードを設定するとともに、前記ガイダンス表示変更手段は、設定された撮影モードに応じて、表示されるガイダンスの内容を変更することを特徴とする請求項１に記載の撮像装置。
【請求項３】
前記モード設定手段は、前記撮像装置の感度設定に関する動作モードを設定するとともに、前記ガイダンス表示変更手段は、設定された感度設定に関する動作モードに応じて、表示されるガイダンスの内容を変更することを特徴とする請求項１に記載の撮像装置。
【請求項４】
前記モード設定手段は、前記撮像装置の画像処理に関する動作モードを設定するとともに、前記ガイダンス表示変更手段は、設定された画像処理に関する動作モードに応じて、表示されるガイダンスの内容を変更することを特徴とする請求項１に記載の撮像装置。
【請求項５】
前記モード設定手段は、前記撮像装置のオートフォーカスに関する動作モードを設定するとともに、前記ガイダンス表示変更手段は、設定されたオートフォーカスに関する動作モードに応じて、表示されるガイダンスの内容を変更することを特徴とする請求項１に記載の撮像装置。
【請求項６】
前記モード設定手段は、前記撮像装置の測光に関する動作モードを設定するとともに、前記ガイダンス表示変更手段は、設定された測光に関する動作モードに応じて、表示されるガイダンスの内容を変更することを特徴とする請求項１に記載の撮像装置。
【請求項７】
前記モード設定手段は、前記撮像装置の露出補正に関する動作モードを設定するとともに、前記ガイダンス表示変更手段は、設定された露出補正に関する動作モードに応じて、表示されるガイダンスの内容を変更することを特徴とする請求項１に記載の撮像装置。
【請求項８】
前記モード設定手段は、前記撮像装置のカスタムファンクション設定をするとともに、前記ガイダンス表示変更手段は、設定されたカスタムファンクションに関する動作モードに応じて、表示されるガイダンスの内容を変更することを特徴とする請求項１に記載の撮像装置。
【請求項９】
所定の操作部材の操作に応じてガイダンス表示を行う撮像装置において、
前記撮像装置に接続される外部機器を識別する識別手段と、
前記識別手段にて識別される外部機器に応じて、表示されるガイダンスの内容を変更するガイダンス表示変更手段とを有することを特徴とする撮像装置。
【請求項１０】
所定の操作部材の操作に応じてガイダンス表示を行う撮像装置の制御方法において、
前記撮像装置の動作モードを設定するモード設定工程と、
前記モード設定工程にて設定される動作モードに応じて、表示するガイダンスの内容を変更するガイダンス表示変更工程とを有することを特徴とする撮像装置の制御方法。
【請求項１１】
所定の操作部材の操作に応じてガイダンス表示を行う撮像装置の制御方法において、
前記撮像装置に接続される外部機器を識別する識別工程と、
前記識別工程にて識別される外部機器に応じて、表示されるガイダンスの内容を変更するガイダンス表示変更手段工程とを有することを特徴とする撮像装置の制御方法。
【請求項１２】
所定の操作部材の操作に応じてガイダンス表示を行う撮像装置の制御するためのコンピュータプログラムであって、
前記撮像装置の動作モードを設定するモード設定処理と、
前記モード設定処理にて設定される動作モードに応じて、表示するガイダンスの内容を変更するガイダンス表示変更処理とをコンピュータに実行させることを特徴とするコンピュータプログラム。
【請求項１３】
所定の操作部材の操作に応じてガイダンス表示を行う撮像装置の制御するためのコンピュータプログラムであって、
前記撮像装置に接続される外部機器を識別する識別処理と、
前記識別処理にて識別される外部機器に応じて、表示されるガイダンスの内容を変更するガイダンス表示変更手段工程処理とをコンピュータに実行させることを特徴とするコンピュータプログラム。
【発明の詳細な説明】
【技術分野】
【０００１】
本発明は、操作部材の操作があったときに説明情報を提供する機能を有する、もしくは、機能設定の状態を初期の設定状態に戻す操作部材を備えた撮像装置、撮像装置の制御方法、及びコンピュータプログラムに関する。
【背景技術】
【０００２】
多数の機能を有するカメラの操作パネルには、シャッター速度、絞り値、露出計、ＡＦモードやＡＥモードといった設定モード等が表示される。
【０００３】
ユーザは任意の撮影モードを使用して撮影を行うに際して、使用するモードの詳細な情報（撮影操作方法や撮影効果等）を知りたいときには、取扱説明書を読んで確認する必要があった。
【０００４】
また、カメラの操作ボタンの表面や周辺には、その操作ボタンの機能を簡略化して示す記号や文字や絵等が描かれている場合がある。しかしながら、このような簡略化された記号等を見ただけでは、その機能の使い方や撮影効果まで理解するのは容易でない。
【０００５】
そこで、カメラ外面に設けられたＬＣＤ等からなる表示パネルに、操作に関するヘルプ情報を表示し、操作部材や操作方法等の説明を行うようにしたカメラが提案されている。これにより、ユーザは、取扱説明書を携帯する必要がなく、また、様々な機能の使い方やその機能により得られる撮影効果等を容易に詳しく知ることができる。
【０００６】
例えば特許文献１では、メニュー表示のための操作やヘルプ表示のための操作の操作履歴に基づいて、ヘルプ情報の提示を制御することにより、ユーザの熟練度に応じた最適なメニュー情報を提示することのできるヘルプ情報表示装置が開示されている。
【０００７】
また、特許文献２では、撮像装置の状態が所定の状態にあるとき、その旨をユーザに通知し、ユーザの表示指示によって撮像装置に係わる動画ヘルプ情報もしくは簡易ヘルプ情報を表示することで、ユーザの習熟度に応じて撮像装置に係わる情報を適切に提示することのできる撮像装置が提案されている。
【０００８】
さらに、多数の機能を有するカメラでは、様々な設定状態や動作条件の設定値が変更可能となっている。これらの設定値を電源オフにしても記憶する手段を備えることで、次回の起動時に前回の設定内容を保持したまま使用することが可能であり、操作性を向上させている。しかしながら、その一方で、設定できる項目の数が増加してくると、設定値を全て基準状態に戻すために設定値を各々変更することは煩わしさを伴う。そこで、ユーザがメニュー操作を行うことで、設定値を全て基準状態に戻すことのできるカメラも知られている。
【０００９】
【特許文献１】特開平７−２８４０３４号公報
【特許文献２】特開２００３−３１９２１１号公報
【発明の開示】
【発明が解決しようとする課題】
【００１０】
しかしながら、特許文献１に開示されたヘルプ情報表示装置では、メニュー表示のための操作やヘルプ表示のための操作の操作履歴だけに基づくので、必ずしもユーザの熟練度に応じた最適なメニュー情報が提示されるとは限らない。また、ヘルプ表示が不要な熟練のユーザにとっては、操作回数を重ねなければヘルプ情報が非表示にならず、不要なヘルプ表示が常に表示され煩わしいという問題が生じる。
【００１１】
また、特許文献２に開示された撮像装置では、撮像装置が所定の状態であるときに通知されたユーザが、自らヘルプ情報を表示する操作を行うことによってのみヘルプ情報が表示されるため、撮像装置に係る一連の操作を行う中で円滑さを欠き煩わしいという問題が生じる。さらに、動画ヘルプ情報もしくは簡易ヘルプ情報を表示させるために、それぞれ異なる操作を行う必要があるため、誤って所望のレベルのヘルプ情報と異なるヘルプ情報を表示させてしまい混乱を招くおそれもある。
【００１２】
さらに、ユーザが所定操作を行うことで設定値を全て基準状態に戻すことのできるカメラでは、熟練度が異なるユーザに対しても同一の基準状態に戻るため、それぞれのユーザにとって最適な操作性とならないという問題が生じる。
【００１３】
本発明は係る実情に鑑みてなされたものであり、例えばユーザの熟練度に応じて、ヘルプ情報を提供したり、機能設定の状態を初期の設定状態に戻したりできるようにすることを目的とする。
【課題を解決するための手段】
【００１４】
本発明による撮像装置は、所定の操作部材の操作に応じてガイダンス表示を行う撮像装置において、前記撮像装置の動作モードを設定するモード設定手段と、前記モード設定手段にて設定される動作モードに応じて、表示されるガイダンスの内容を変更するガイダンス表示変更手段とを有することを特徴とする。
本発明による別の撮像装置は、所定の操作部材の操作に応じてガイダンス表示を行う撮像装置において、前記撮像装置に接続される外部機器を識別する識別手段と、前記識別手段にて識別される外部機器に応じて、表示されるガイダンスの内容を変更するガイダンス表示変更手段とを有することを特徴とする。
本発明による撮像装置の制御方法は、所定の操作部材の操作に応じてガイダンス表示を行う撮像装置の制御方法において、前記撮像装置の動作モードを設定するモード設定工程と、前記モード設定工程にて設定される動作モードに応じて、表示するガイダンスの内容を変更するガイダンス表示変更工程とを有することを特徴とする。
本発明による別の撮像装置の制御方法は、所定の操作部材の操作に応じてガイダンス表示を行う撮像装置の制御方法において、前記撮像装置に接続される外部機器を識別する識別工程と、前記識別工程にて識別される外部機器に応じて、表示されるガイダンスの内容を変更するガイダンス表示変更手段工程とを有することを特徴とする。
本発明によるコンピュータプログラムは、所定の操作部材の操作に応じてガイダンス表示を行う撮像装置の制御するためのコンピュータプログラムであって、前記撮像装置の動作モードを設定するモード設定処理と、前記モード設定処理にて設定される動作モードに応じて、表示するガイダンスの内容を変更するガイダンス表示変更処理とをコンピュータに実行させることを特徴とする。
本発明によるコンピュータプログラムは、所定の操作部材の操作に応じてガイダンス表示を行う撮像装置の制御するためのコンピュータプログラムであって、前記撮像装置に接続される外部機器を識別する識別処理と、前記識別処理にて識別される外部機器に応じて、表示されるガイダンスの内容を変更するガイダンス表示変更手段工程処理とをコンピュータに実行させることを特徴とする。
【発明の効果】
【００１５】
本発明によれば、ユーザごとに最適な説明情報を提供したり、ユーザごとに最適に機能設定の状態を初期の設定状態に戻したりすることができ、操作性に優れた撮像装置を提供することができる。
【発明を実施するための最良の形態】
【００１６】
以下、添付図面を参照して、本発明の好適な実施形態について説明する。
（第１の実施形態）
図１は第１の実施形態のデジタル一眼レフカメラを示す斜視図であり、図２は背面図である。１はカメラ本体である。２はカメラ本体１に着脱可能な交換レンズである。３はカメラ本体１から交換レンズ２を取り外すためのレンズ取り外しボタンである。４はカメラ本体１に収納された内蔵ストロボである。５は被写体を観察するためのファインダーである。
【００１７】
６はカメラの電源のオン・オフを切り換えるためのメインスイッチである。７はカメラの各種撮影モードを切り換えるモードダイヤルである。８はカメラのシャッター速度や絞り値等の各種の撮影条件を入力するための電子ダイヤルである。
【００１８】
１０はレリーズボタンであり、測光、側距を開始するためとレリーズを行わせるための２段階スイッチにより構成される。すなわち、レリーズボタン１０を一段目まで軽く押し込んだ状態（いわゆる「半押し」）では測光、側距が行われる。半押しからさらに二段目まで押すと（いわゆる「全押し」）、シャッターが動作し、撮影動作が行われ、撮像素子によって被写体像を光電交換して画像情報が生成される。
【００１９】
１１は内蔵ストロボ４を使用可能な状態とするための内蔵ストロボボタンである。１２はカメラに内蔵されたセルフタイマー機能を使用するためのセルフタイマーボタンである。１３はＡＦフレーム選択ボタンであり、ＡＦフレーム選択ボタン１３を押した後に電子ダイヤル８を回すことによって、撮影画面の中でピント合わせの対象となる領域、すなわちＡＦフレームの切り換えを行うことができる。
【００２０】
１４はＡＥロック撮影を行うためのＡＥロックボタンである。１５は電子ダイヤル８との組み合わせで露出補正を行うための露出補正ボタンである。なお、マニュアル撮影モードでは、露出補正ボタン１５により絞り値をマニュアル設定することができる。
【００２１】
１６は外部液晶パネル３０のバックライトを点灯させるための照明ボタンである。１７はそのときに設定されている絞り値までレンズの絞りを絞り込む絞り込みボタンである。これにより、ユーザは被写界深度を確認することができる。１８はストロボ撮影時に発生するいわゆる赤目現象を緩和するために発光する赤目ランプである。
【００２２】
２０は様々な設定をメニュー画面で行うときに選択項目を上下左右に移動させるための十字キーである。２１は選択項目を決定するためのセットボタンである。
【００２３】
２２は外部表示パネル３０にメニューを表示させるためのメニューボタンである。２３は撮影条件の現在の設定一覧を表示させるためのインフォボタンである。
【００２４】
２４は再生モードで再生中の画像から前又は後の画像にジャンプして再生するためのジャンプボタンである。２５は記録画像を再生表示させるために再生モードに切り換えるための再生ボタンである。２６は再生画像を消去するための消去ボタンである。
【００２５】
２７は外部メモリカードカバーであり、撮像素子により被写体像が光電交換され生成された画像情報を記録するための不図示の外部メモリカードを着脱するために開閉する。
【００２６】
３０は外部液晶パネルであり、撮影条件表示部３１、メニュー表示部３２、及びヘルプ表示部３３により構成される。
【００２７】
以上述べたように、第１の実施形態のデジタル一眼レフカメラは、撮影モードや動作条件を設定するためや、カメラを動作させるために操作される複数のスイッチ、ボタン、ダイヤル等の操作部材６〜８、１０〜１７、２０〜２７を有する。
【００２８】
図３には外部液晶パネル３０の撮影条件表示部３１の表示内容を示す。撮影条件表示部３１は設定された撮影条件を表示し、その際にマークを使用して表示する。具体的に、４１は赤目緩和マークであり、赤目緩和機能が設定されているときに表示される。４２はセルフタイマーマークであり、セルフタイマーモードが設定されているときに表示される。
【００２９】
４３はドライブモードマークであり、単写撮影及び連続撮影のいずれが設定されているかが表示される。４４は記録画質表示部であり、設定されている記録画質に応じたマークが表示される。例えば、図示例であればＲＡＷ形式が設定されていることが表示されている。
【００３０】
４５は露出補正表示部であり、露出補正を行った場合に基準値０に対する差（段数）や、マニュアル撮影時の露出レベルが表示される。４６はＡＥＢマークであり、レリーズ動作で自動的に露出を変えながら３画像連続して撮影できるＡＥＢ機能が設定されているときに表示される。４７は電池残量表示部であり、カメラに充填されている電池の残容量が表示される。
【００３１】
４８はホワイトバランス表示部であり、設定されているホワイトバランスに応じたマークが表示される。４９は撮影可能枚数表示部であり、装着されている外部メモリカードの残容量から推定される撮影可能枚数が表示される。
【００３２】
５０はシャッター速度表示部であり、ユーザがマニュアル設定したシャッター速度又はカメラが自動設定したシャッター速度が表示される。５１は絞り値表示であり、設定されている絞り値が表示される。
【００３３】
図４には外部液晶パネル３０のメニュー表示部３２の表示例を示す。上述したように、メニューボタン２２を押下することで、メニュー画面を表示させることができる。メニュー表示部３２の表示内で、十字キー２０とセットボタン２１を使用して項目を選択することで、撮影条件もしくは再生条件を設定することができる。また、再生ボタン２５を押下することで、撮影画像をメニュー表示部３２に表示することもできる。
【００３４】
図５には外部液晶パネル３０のヘルプ表示部３３の表示例を示す。ヘルプ表示部３３には、既述した複数の操作部材のいずれかが操作されたときに、その操作部材に関するヘルプ情報が表示される。図示例は、照明ボタン１６を押下した際の表示例である。
【００３５】
次に、図６を参照して、モードダイヤル７について説明する。図６において、７０はクリエイティブゾーンであり、プログラムＡＥモード「Ｐ」、シャッター優先モード「Ｔｖ」、絞り優先ＡＥモード「Ａｖ」、マニュアル露出モード「Ｍ」、オートデプスモード「Ａ-ＤＥＰ」が設定されている。クリエイティブゾーン７０に描かれたモードマークのいずれかをカメラ本体１側のモード指標マーク８０に合わせるようにモードダイヤル７を回転させることにより、そのモードマークに対応する撮影モードが設定される。
【００３６】
インテリジェントプログラムＡＥモード「Ｐ」では、レリーズボタン１０を半押しすると、カメラが自動的にシャッター速度と絞り値を決定する。ユーザは、電子ダイヤル８を操作することでプログラムシフトを行うことができる。シャッター優先モード「Ｔｖ」では、ユーザが電子ダイヤル８でシャッター速度を設定すると、被写体の明るさに応じてカメラが絞り値を自動的に設定する。絞り優先ＡＥモード「Ａｖ」では、ユーザが電子ダイヤル８で絞り値を設定すると、被写体の明るさに応じてカメラがシャッター速度を自動的に設定する。マニュアル露出モード「Ｍ」では、ユーザがシャッター速度や絞り値を決めて撮影することができる。シャッター速度は直接電子ダイヤル８で設定し、絞り値は露出補正ボタン１５を押下しながら電子ダイヤル８を回すことにより設定する。オートデプスモード「Ａ-ＤＥＰ」では、ＡＦフレームに重なった複数の被写体が被写界深度内に入るように絞り値とフォーカス位置を決定する。
【００３７】
図６において、７１は全自動モードであり、そのモードマークをカメラ本体１側のモード指標マーク８０に合わせるようにモードダイヤル７を回転させることにより、全自動モードが設定される。
【００３８】
図６において、７２はイメージゾーンであり、ポートレートモード７３、風景モード７４、クローズアップモード７５、スポーツモード７６、夜景モード７７、ストロボ発光禁止モード７８が設定されている。イメージゾーン７２に描かれたモードマークのいずれかをカメラ本体１側のモード指標マーク８０に合わせるようにモードダイヤル７を回転させることにより、そのモードマークに対応する撮影モードが設定される。
【００３９】
これら全自動モード７１やイメージゾーン７２の撮影モードでは、カメラが自動的に最適なＡＦフレームやシャッター速度、絞り値を設定する。したがって、ユーザはレリーズボタン１０を押下するだけで、簡単に良好な撮影を行うことができる。
【００４０】
以下、外部液晶パネル３０のヘルプ表示部３３に表示されるヘルプ情報について説明する。ヘルプ情報は、操作部材７、１１、１２、１３、１４、１５、１６、１７等が操作されたときに表示される。なお、本実施形態で説明するヘルプ情報は一例に過ぎず、その文言の内容等に限定されるものではない。
【００４１】
＜撮影モードを識別情報とするヘルプ情報＞
図７に、本実施形態のデジタル一眼レフカメラの要部の機能構成を示す。なお、既に説明した構成要素には同一の符号を付する。カメラ内には外部液晶パネル３０のヘルプ表示部３３の表示制御を行う表示制御部７００が設けられている。表示制御部７００には、モードダイヤル７により設定される撮影モード情報と、操作部材の操作があったか否かの操作情報とが入力される。表示制御部７００の選択部７００ａは、以下に詳述するように撮影モード情報及び操作情報に基づいて、ヘルプ情報記憶部７０１からヘルプ情報（ガイダンス）を選択抽出し、ヘルプ表示部３３に表示する。
【００４２】
まず、モードダイヤル７を操作したときのヘルプ情報について説明する。モードダイヤル７を回転させて、モードダイヤル７に描かれたモードマークをカメラ本体１側のモード指標マーク８０に合わせると、その選択した撮影モードのヘルプ情報が表示される。その状態で他の操作部材が操作されると、一部又は全部の表示が新しく操作された操作部材に関するヘルプ情報に切り換わる。
【００４３】
モードダイヤル７が全自動モード７１もしくはイメージゾーン７２の撮影モードへと操作されたときのヘルプ情報の表示例を記す。全自動モード７１の選択時には、「全自動モードです。シャッターボタンを押すだけで簡単にきれいな写真が撮れます。」と表示される。
【００４４】
イメージゾーン７２のポートレートモード７３の選択時には、「ポートレートモードです。背景をぼかして手前の人物を際立たせた写真が撮れます。」と表示される。また、風景モード７４の選択時には、「風景モードです。近景から遠景まで、鮮明に写せます。」と表示される。また、クローズアップモード７５の選択時には、「クローズアップモードです。小さな被写体の近接撮影も簡単に写せます。」と表示される。スポーツモード７６の選択時には、「スポーツモードです。移動する被写体に最適な動体予測ＡＦと高速ＡＥを組み合わせたモードです。」と表示される。夜景モード７７の選択時には、「夜景モードです。見たままの雰囲気で夜景が美しく写せます。」と表示される。ストロボ発光禁止モード７８の選択時には、「ストロボ発光禁止モードです。ストロボがアップ状態になっていても発光を禁止します。」と表示される。
【００４５】
次に、モードダイヤル７がクリエイティブゾーン７０の撮影モードへと操作されたときのヘルプ情報の表示例を記す。インテリジェントプログラムＡＥモードの選択時には、「（Ｐ）インテリジェントプログラムＡＥモードです。電子ダイヤルを回してプログラムシフトできます。」と表示される。シャッター優先ＡＥモードの選択時には、「（Ｔｖ）シャッター優先ＡＥモードです。」と表示される。絞り優先ＡＥモードの選択時には、「（Ａｖ）絞り優先ＡＥモードです。」と表示される。マニュアル露出モードの選択時には、「（Ｍ）マニュアル露出モードです。」と表示される。オートデプスモードの選択時には、「（Ａ-ＤＥＰ）オートデプスモードです。複数の側距点で捉えた被写体それぞれにピントが合うように、絞り値とフォーカス位置をカメラが設定します。」と表示される。
【００４６】
以下、モードダイヤル７により撮影モードが設定された状態で、代表例としてセルフタイマーボタン１２、照明ボタン１６、ＡＥロックボタン１４を操作したときのヘルプ情報について説明する。
【００４７】
（セルフタイマーボタン１２）
モードダイヤル７が全自動モード７１もしくはイメージゾーン７２の撮影モードに設定されているときに、セルフタイマーボタン１２を押下すると、「セルフタイマーモードです。ファインダーをのぞきながらレリーズボタンを全押ししてください。１０秒後の撮影されます。」と表示される。さらに、もう一度セルフタイマーボタン１２を押下すると、「通常撮影モードです。セルフタイマーモードにするには、もう一度セルフタイマーボタンを押してください。」と表示される。
【００４８】
それに対して、モードダイヤル７がクリエイティブゾーン７０の撮影モードに設定されているときに、セルフタイマーボタン１２を押下すると、「セルフタイマーモードです。ファインダー逆入光に注意してください。１０秒後に撮影されます。」と表示される。さらに、もう一度セルフタイマーボタン１２を押下すると、「通常撮影モードです。」と表示される。
【００４９】
（照明ボタン１６）
モードダイヤル７が全自動モード７１もしくはイメージゾーン７２の撮影モードに設定されているときに、照明ボタン１６を押下すると、「表示パネル照明ボタンです。表示パネルの照明を点けます。」と表示され、同時に表示パネルの照明が点灯する。
【００５０】
それに対して、モードダイヤル７がクリエイティブゾーン７０の撮影モードに設定されているときに、照明ボタン１６を押下すると、「表示パネル照明ボタンです。６秒間点灯します。」と表示され、同時に表示パネルの照明が点灯する。
【００５１】
（ＡＥロックボタン１４）
モードダイヤル７が全自動モード７１もしくはイメージゾーン７２の撮影モードに設定されているときに、ＡＥロックボタン１４を押下すると、「ＡＥロックボタンです。ＡＥロック撮影を行うボタンです。ファインダー内に＊が表示され、露出値が固定されます。」と表示される。
【００５２】
それに対して、モードダイヤル７がクリエイティブゾーン７０の撮影モードに設定されているときに、ＡＥロックボタン１６を押下すると、「ＡＥロックボタンです。ファインダー内に＊が表示され、測光範囲は部分測光になります。」と表示される。
【００５３】
以上説明したヘルプ情報の表示例は、モードダイヤル７が全自動モード７１もしくはイメージゾーン７２の撮影モードに設定されているときは、ユーザがカメラ操作に熟練していない可能性を考慮し、平易な用語を使用し分かりやすい文言でヘルプ情報を表示するものである。それに対して、モードダイヤル７がクリエイティブゾーン７０の撮影モードに設定されているときは、ユーザがある程度カメラ操作に熟練している可能性を考慮し、必要に応じて専門的な用語も含めて簡潔で認識しやすい文言でヘルプ情報を表示するものである。このようにユーザの熟練度に応じて最適なヘルプ情報を提供することが可能となり、操作性に優れた撮像装置を提供することができる。
【００５４】
なお、ヘルプ情報は、表示されてから次の操作が行われるか、表示されてから一定時間経過後（例えば６秒経過後）に消えるようになっている。
【００５５】
また、本実施形態では、ヘルプ情報を外部液晶パネル３０に表示してユーザに提供するようにしたが、音声情報として提供するようにしてもかまわない。
【００５６】
＜撮影モード以外の設定を識別情報とするヘルプ情報＞
以上述べた例では、モードダイヤル７により設定された撮影モードを識別情報として、操作部材が操作されたときのヘルプ情報を選択して提供するようにしたが、それ以外の設定を識別情報としてもよい。以下、記録画質形式、ＩＳＯ感度、ホワイトバランス、現像パラメータ、ＡＦモード、ＡＦフレーム選択モード、測光方式、露出補正設定、カスタムファンクションの設定を識別情報とする例を説明する。なお、デジタル一眼レフカメラの要部の機能構成は図７に示したものと同様であり、撮影モード情報に替えて、ＩＳＯ感度、ホワイトバランス、現像パラメータ、ＡＦモード、ＡＦフレーム選択モード、測光方式、露出補正設定、カスタムファンクションの設定情報が入力される。
【００５７】
ＩＳＯ感度については、カメラの撮影モードが全自動モード７１であっても、イメージゾーン７２の撮影モードであっても、クリエイティブゾーン７０の撮影モードであっても自由に設定ができる。ただし、記録画質形式、ホワイトバランス、現像パラメータ、ＡＦモード、ＡＦフレーム選択モード、測光方式、露出補正設定、カスタムファンクションについては、カメラの撮影モードがクリエイティブゾーン７０の撮影モードに設定されているときのみ自由に設定することができるが、全自動モード７１もしくはイメージゾーン７２の撮影モードに設定されているときはカメラが自動的に設定を行う。
【００５８】
図８に、撮影モードごとの撮影機能の組み合わせ一覧を示す。記録画質形式、ＩＳＯ感度、ホワイトバランス、現像パラメータ、ＡＦモード、測光方式、カスタムファンクションについては、メニューボタン２２を押下することで不図示のメニュー画面の中から各々選択可能となっている。
【００５９】
記録画質形式は、一般的によく知られている圧縮方式のＪＰＥＧ形式と、非圧縮方式で取り扱いに専用のソフトウェアが必要とされるＲＡＷ方式の２種類を設定することができる。ＲＡＷ形式は、コンピュータでの現像処理を前提としているため専門知識が必要であるが、使用目的に最適な画像を作成することが可能である。
【００６０】
ＩＳＯ感度は、カメラが自動的に最適な感度設定を行う（オートＩＳＯ）か、ユーザがマニュアルで感度設定を行うか（マニュアル感度設定）が可能である。
【００６１】
ホワイトバランスは、撮影状況に応じて最適なホワイトバランスを自動的に設定するか（オートホワイトバランス）、撮影状況の光源別にホワイトバランスを予め設定されているプリセットホワイトバランスを設定するか、マニュアルで設定することが可能である。
【００６２】
現像パラメータは、撮影した画像の現像処理の設定内容（コントラスト、シャープネス、色の濃さ、色あい）であり、この現像パラメータを変更することで鮮やかにでくっきりした感じにしたり、逆に控えめな感じにしたりすることができる。本実施形態では、予め設定されている基準パラメータと、コントラスト、シャープネス、色の濃さ、色あいを各々任意に設定することのできるパラメータセットを選択することが可能である。
【００６３】
ＡＦモードは、ＡＦの作動特性のことであり、静止している被写体の撮影に適したワンショットＡＦと、動いている被写体の撮影に適したＡＩサーボＡＦと、ワンショットＡＦかＡＩサーボＡＦを自動的に切り換えるＡＩフォーカスＡＦとの３種類を選択することが可能である。
【００６４】
ＡＦフレーム選択モードは、ＡＦフレーム選択ボタン１３を押下した後に電子ダイヤル８を回すことにより、ＡＦフレームを選択することができる。例えば７点のＡＦフレームを備えており、７点のＡＦフレームの中から撮影状況に応じて自動的に選択する自動選択モードと、７点のＡＦフレームの中の任意の１点をマニュアルで選択する任意選択モードとを選択することが可能である。
【００６５】
測光方式は、撮影状況における様々な光の状況から被写体を適正な露出値にする評価測光と、被写体近傍の範囲のみを測光する部分測光と、画面中央部に重点を置いて画面全体を平均的に測光する中央部重点平均測光の３種類を選択することが可能である。
【００６６】
露出補正設定は、露出補正ボタン１５を押下しながら電子ダイヤル８を回すことで設定する。
【００６７】
カスタムファンクションは、様々な撮影スタイルに応じてカメラの機能を細かく変更するための機能設定である。
【００６８】
以下、ＩＳＯ感度が設定された状態で、代表例として絞り込みボタン１７を操作したときのヘルプ情報について説明する。
【００６９】
（絞り込みボタン１９）
ＩＳＯ感度がオートＩＳＯに設定されているときに、絞り込みボタン１７を押下すると、「被写界深度確認ボタンです。設定された絞り値まで絞り込み、ピントの合っている範囲をファインダーで確認できます。」と表示される。
【００７０】
それに対して、ＩＳＯ感度がマニュアル感度設定されているときに、絞り込みボタン１９を押下すると、「被写界深度確認ボタンです。」と表示される。
【００７１】
以上説明したヘルプ情報の表示例は、ＩＳＯ感度がオートＩＳＯに設定されているときは、ユーザがカメラ操作に熟練していない可能性を考慮し、平易な用語を使用し分かりやすい文言でヘルプ情報を表示するものである。それに対して、ＩＳＯ感度がマニュアル感度設定されているときは、ユーザがある程度カメラ操作に熟練している可能性を考慮し、必要に応じて専門的な用語を含めて簡潔で認識しやすい文言でヘルプ情報を表示するものである。このようにユーザの熟練度に応じて最適なヘルプ情報を提供することが可能となり、操作性に優れた撮像装置を提供することができる。
【００７２】
ＩＳＯ感度以外の、記録画質形式、ホワイトバランス、現像パラメータ、ＡＦモード、ＡＦフレーム選択モード、測光方式、露出補正設定、カスタムファンクションの設定を識別情報とする場合について簡単に説明する。記録画質形式がＪＰＥＧ形式に設定されているときは、ユーザがカメラ操作に熟練していない可能性を考慮する。それに対して、記録画質形式がＲＡＷ形式に設定されているときは、ユーザがある程度カメラ操作に熟練している可能性を考慮する。
【００７３】
ホワイトバランスがオートホワイトバランスに設定されているときは、ユーザがカメラ操作に熟練していない可能性を考慮する。それに対して、ホワイトバランスがプリセットホワイトバランスかマニュアル設定されているときは、ユーザがある程度カメラ操作に熟練している可能性を考慮する。
【００７４】
現像パラメータが基準パラメータに設定されているときは、ユーザがカメラ操作に熟練していない可能性を考慮する。それに対して、現像パラメータがパラメータセットに設定されているときは、ユーザがある程度カメラ操作に熟練している可能性を考慮する。
【００７５】
ＡＦモードがＡＩフォーカスＡＦに設定されているときは、ユーザがカメラ操作に熟練していない可能性を考慮する。それに対して、ＡＦモードがワンショットＡＦか、ＡＩサーボＡＦに設定されているときには、ユーザがある程度カメラ操作に熟練している可能性を考慮する。
【００７６】
ＡＦフレーム選択モードが自動選択モードに設定されているときは、ユーザがカメラ操作に熟練していない可能性を考慮する。それに対して、ＡＦフレーム選択モードが任意選択モードに設定されているときは、ユーザがある程度カメラ操作に熟練している可能性を考慮する。
【００７７】
測光方式が評価測光に設定されているときは、ユーザがカメラ操作に熟練していない可能性を考慮する。それに対して、測光方式が部分測光か、中央部重点平均測光に設定されているときは、ユーザがある程度カメラ操作に熟練している可能性を考慮する。
【００７８】
露出補正設定が設定されていないときは、ユーザがカメラ操作に熟練していない可能性を考慮する。それに対して、露出補正設定が設定されているときは、ユーザがある程度カメラ操作に熟練している可能性を考慮する。
【００７９】
カスタムファンクションが設定されていないときは、ユーザがカメラ操作に熟練していない可能性を考慮する。それに対して、カスタムファンクションが設定されているときは、ユーザがある程度カメラ操作に熟練している可能性を考慮する。
【００８０】
＜カメラに装着されている付属機器を識別情報とするヘルプ情報＞
以上述べた例では、モードダイヤル７により設定された撮影モードや記録画質形式、ＩＳＯ感度、ホワイトバランス、現像パラメータ、ＡＦモード、ＡＦフレーム選択モード、測光方式、露出補正設定、カスタムファンクションの設定を識別情報として、操作部材が操作されたときのヘルプ情報を選択して提供するようにしたが、カメラに装着されている付属機器を識別情報としてもよい。以下、カメラに装着されている付属機器を識別情報とする例を説明する。なお、デジタル一眼レフカメラの要部の機能構成は図７に示したものと同様であり、撮影モード情報に替えて、付属機器情報が入力される。
【００８１】
一眼レフカメラの交換レンズとしては、様々な焦点距離や開放絞り値を持つものが多数存在する。その性能や価格も様々であり、普及クラスのレンズから高性能・高価格の高級クラスのレンズまで発売されている。また、交換レンズの中には、近接撮影用のマクロレンズや、ティルト撮影やシフト撮影を行うことができるアオリレンズ等の特殊用途用レンズも発売されている。
【００８２】
また、一眼レフカメラのアクセサリとしては、外付けストロボやバッテリーパックや縦位置グリップ等が存在し、普及クラスから高級クラスまで発売されている。どのようなアクセサリがカメラに装着されているかは、カメラが接続されたアクセサリのＩＤ情報を読み取ることで識別することができる。
【００８３】
また、メディアとしては、通電しなくても記憶が消えないフラッシュメモリを使用したカードと、小型のハードディスクが内蔵されたカードの２種類が知られている。一般的にハードディスク内蔵メモリカードは大容量であり、同容量のフラッシュメモリカードよりも安価であるが、構造的に壊れやすく取り扱いに注意を要するため、ある程度カメラ操作に熟練しているユーザに使用されることが多い。そのような記録媒体がカメラに装着されているかは、カメラに記録媒体が装着されたときに記録媒体からカメラに送信される情報によって識別することができる。
【００８４】
カメラに装着されているレンズが普及クラスのレンズのときは、ユーザがカメラ操作に熟練していない可能性を考慮する。それに対して、カメラに装着されているレンズが高級クラスや特殊用途用レンズのときは、ユーザがある程度カメラ操作に熟練している可能性を考慮する。
【００８５】
カメラに装着されているアクセサリが普及クラスのアクセサリのときは、ユーザがカメラ操作に熟練していない可能性を考慮する。それに対して、カメラに装着されているアクセサリが高級クラスのアクセサリのときは、ユーザがある程度カメラ操作に熟練している可能性を考慮する。
【００８６】
カメラに装着されているメディアがハードディスク内蔵メモリカードのときは、ユーザがある程度カメラ操作に熟練している可能性を考慮する。
【００８７】
なお、本例では付属機器の種類に基づくものとしたが、付属機器の設定に基づくものとしてもよい。
【００８８】
＜カメラの設定や付属機器の組み合わせを識別情報とするヘルプ情報１＞
以上述べた撮影モード、それ以外の設定（記録画質形式、ＩＳＯ感度、ホワイトバランス、現像パラメータ、ＡＦモード、ＡＦフレーム選択モード、測光方式、露出補正設定、カスタムファンクションの設定）、カメラに装着されている付属機器を組み合わせて識別情報としてもよい。以下、これらの組み合わせを識別情報とする例を説明する。
【００８９】
（内蔵ストロボボタン１１）
モードダイヤル７が全自動モード７１もしくはイメージゾーン７２の撮影モードに設定されているときに（このとき記録画質形式は自動的にＪＰＥＧ形式に設定されている）、内蔵ストロボボタン１１を押下すると、「内蔵ストロボアップボタンです。撮影時にストロボ発光します。使わないとき手でストロボを押し下げて下さい。」と表示され、同時に内蔵ストロボ４をアップする。
【００９０】
それに対して、モードダイヤル７がクリエイティブゾーン７０の撮影モードに設定されており、記録画質形式がＪＰＥＧ形式に設定されているときに、内蔵ストロボボタン１１を押下すると、「内蔵ストロボアップボタンです。同調シャッター速度は１／２００です。」と表示され、同時に内蔵ストロボ４をアップする。
【００９１】
また、モードダイヤル７がクリエイティブゾーン７０の撮影モードに設定されており、記録画質形式がＲＡＷ形式に設定されているときには、内蔵ストロボボタン１１を押下しても、ヘルプ情報が表示されずに、内蔵ストロボ４をアップする。
【００９２】
図９に、内蔵ストロボボタン１１を押下したときのヘルプ情報表示制御のフローチャートを示す。内蔵ストロボボタン１１が押下されると（ステップＳ１）、ヘルプ情報判別情報βの初期化を行う（ステップＳ２）。次に、モードダイヤル７がクリエイティブゾーン７０の撮影モードに設定されているか否かを判定する（ステップＳ３）。
【００９３】
ステップＳ３においてモードダイヤル７がクリエイティブゾーン７０の撮影モードに設定されていない場合、すなわち全自動モード７１もしくはイメージゾーン７１の撮影モードに設定されている場合は、そのままステップＳ５に移行する。それに対して、モードダイヤル７がクリエイティブゾーン７０の撮影モードに設定されている場合、ヘルプ情報判別情報βに１を加算した後（ステップＳ４）、ステップＳ５に移行する。この場合、ヘルプ情報判別情報βは、ステップＳ２において初期化されているので、β＝β＋1となる。
【００９４】
ステップＳ５では、記録画質形式がＪＰＥＧ形式に設定されているか否かを判定する。記録画質形式がＪＰＥＧ形式に設定されている場合、そのままステップＳ７に移行する。それに対して、記録画質形式がＪＰＥＧ形式に設定されていない場合、すなわちＲＡＷ形式に設定されている場合は、ヘルプ情報判別情報βに１を加算した後（ステップＳ６）、ステップＳ７に移行する。
【００９５】
ステップＳ７では、ヘルプ情報判別情報βが０以下であるか否かを判定する。ヘルプ情報判別情報βが０以下である場合は、ステップＳ９に進み、ヘルプ表示１（平易で分かりやすい表現）を表示する。それに対して、ヘルプ情報判別情報βが０よりも大きい場合は、ステップＳ８に進み、ヘルプ情報判別情報βが１であるか否かを判定する。ヘルプ情報判別情報βが１である場合は、ステップＳ１０に進み、ヘルプ情報表示２（専門用語を含む簡潔な表現）を表示する。それに対して、ヘルプ情報判別情報βが１でない、すなわち１より大きい場合は、ステップＳ１１に進み、ヘルプ情報表示３（非表示）とする。
【００９６】
（露出補正ボタン１５）
モードダイヤル７が全自動モード７１もしくはイメージゾーン７２の撮影モードに設定されているときに（このとき記録画質形式は自動的にＪＰＥＧ形式に設定されている）、露出補正ボタン１５を押下すると、「この撮影モードでは、この露出補正ボタンは作動しません。露出補正を設定したいときは、撮影モードをクリエイティブモードに切り換えてください。」と表示される。
【００９７】
それに対して、モードダイヤル７がクリエイティブゾーン７０の撮影モードに設定されており、記録画質形式がＪＰＥＧ形式に設定されているときに、露出補正ボタン１５を押下すると、「露出補正ボタンです。１／３段ステップで±２段の範囲で設定可能です。」と表示される。この場合、ユーザは電子ダイヤル８を回すことで露出補正を設定することができる。
【００９８】
また、モードダイヤル７がクリエイティブゾーン７０の撮影モードに設定されており、記録画質形式がＲＡＷ形式に設定されているときには、露出補正ボタン１５を押下しても、ヘルプ情報が表示されない。この場合、ヘルプ情報は表示されないが、ユーザは電子ダイヤル８を回すことで露出補正を設定することができる。
【００９９】
なお、露出補正ボタン１５を押下したときのヘルプ情報表示制御のアルゴリズムは、図８のフローチャートで説明した流れと同様であり、ここではその説明を省略する。
【０１００】
以上述べた内蔵ストロボボタン１１及び露出補正ボタン１５を例では、モードダイヤル７が全自動モード７０もしくはイメージゾーン７１の撮影モードに設定されているとき（ＪＰＥＧ形式に自動設定）は、ユーザがカメラ操作に熟練していない可能性を考慮し、平易な用語を使用し分かりやすい文言でヘルプ情報を表示するものである。それに対して、モードダイヤル７がクリエイティブゾーン７０の撮影モードに設定され、かつ、記録画質形式がＪＰＥＧ形式に設定されている場合は、ユーザがある程度カメラ操作に熟練している可能性を考慮し、必要に応じて専門的な用語も含めて簡潔で認識しやすい文言でヘルプ情報を表示するものである。また、モードダイヤル７がクリエイティブゾーン７０の撮影モードに設定されており、かつ、記録画質形式がＲＡＷ形式に設定されているときには、ユーザがかなりカメラ操作に熟練している可能性を考慮して、ヘルプ情報は不要と判断し表示しない。
【０１０１】
＜カメラの設定や付属機器の組み合わせを識別情報とするヘルプ情報２＞
（ＡＦフレーム選択ボタン１３）
モードダイヤル７が全自動モード７１もしくはイメージゾーン７２の撮影モードに設定されているときに（このとき測光方式は自動的に評価測光に設定されている）、ＡＦフレーム選択ボタン１３を押下すると、「この撮影モードでは、このＡＦフレーム選択ボタンは作動しません。ＡＦフレームを任意に選択したときは、撮影モードをクリエイティブモードに切り換えてください。」と表示される。
【０１０２】
それに対して、モードダイヤル７がクリエイティブモード７０の撮影モードに設定されており、測光方式が評価測光に設定されているときに、ＡＦフレーム選択ボタン１３を押下すると、「ＡＦフレーム選択ボタンです。７点のＡＦフレームの中から任意選択可能です。」と表示される。この場合、ユーザは電子ダイヤル８を回すことでＡＦフレームを選択することができる。
【０１０３】
また、モードダイヤル７がクリエイティブゾーン７０の撮影モードに設定されており、測光方式が部分測光もしくは中央部重点平均測光に設定されているときには、ＡＦフレーム選択ボタン１３を押下しても、ヘルプ情報は表示されない。この場合、ヘルプ情報の表示はされないが、ユーザは電子ダイヤル８を回すことでＡＦフレームを選択することができる。
【０１０４】
図１０に、ＡＦフレーム選択ボタン１３を押下したときのヘルプ情報表示制御のフローチャートを示す。ＡＦフレーム選択ボタン１３が押下されると（ステップＳ２１）、ヘルプ情報判別情報βの初期化を行う（ステップＳ２２）。次に、モードダイヤル７がクリエイティブゾーン７０の撮影モードに設定されているか否かを判定する（ステップＳ２３）。
【０１０５】
ステップＳ２３においてモードダイヤル７がクリエイティブゾーン７０の撮影モードに設定されていない場合、すなわち全自動モード７１もしくはイメージゾーン７１の撮影モードに設定されている場合は、そのままステップＳ２５に移行する。それに対して、モードダイヤル７がクリエイティブゾーン７０の撮影モードに設定されている場合、ヘルプ情報判別情報βに１を加算した後（ステップＳ２４）、ステップＳ２５に移行する。この場合、ヘルプ情報判別情報βは、ステップＳ２２において初期化されているので、β＝β＋1となる。
【０１０６】
ステップＳ２５では、測光方式が評価測光に設定されているか否かを判定する。測光方式が評価測光に設定されている場合、そのままステップＳ２７に移行する。それに対して、測光方式が評価測光に設定されていない場合、すなわち部分測光もしくは中央部重点平均測光に設定されている場合は、ヘルプ情報判別情報βに１を加算した後（ステップＳ２６）、ステップＳ２７に移行する。
【０１０７】
ステップＳ２７では、ヘルプ情報判別情報βが０以下であるか否かを判定する。ヘルプ情報判別情報βが０以下である場合は、ステップＳ２９に進み、ヘルプ表示１（平易で分かりやすい表現）を表示する。それに対して、ヘルプ情報判別情報が０よりも大きい場合は、ステップＳ２８に進み、ヘルプ情報判別情報βが１であるか否かを判定する。ヘルプ情報判別情報βが１である場合は、ステップＳ３０に進み、ヘルプ情報表示２（専門用語を含む簡潔な表現）を表示する。それに対して、ヘルプ情報判別情報βが１でない、すなわち１より大きい場合は、ステップＳ３１に進み、ヘルプ情報表示３（非表示）とする。
【０１０８】
以上述べたＡＦフレーム選択ボタン１３の例では、モードダイヤル７が全自動モード７０もしくはイメージゾーン７１の撮影モードに設定されているとき（評価測光に自動設定）は、ユーザがカメラ操作に熟練していない可能性を考慮し、平易な用語を使用し分かりやすい文言でヘルプ情報を表示するものである。それに対して、モードダイヤル７がクリエイティブゾーン７０の撮影モードに設定され、かつ、測光方式が評価測光に設定されている場合は、ユーザがある程度カメラ操作に熟練している可能性を考慮し、必要に応じて専門的な用語も含めて簡潔で認識しやすい文言でヘルプ情報を表示するものである。また、モードダイヤル７がクリエイティブゾーン７０の撮影モードに設定されており、かつ、測光方式が部分測光もしくは中央部重点平均測光に設定されているときには、ユーザがかなりカメラ操作に熟練している可能性を考慮して、ヘルプ情報は不要と判断し表示しない。
【０１０９】
なお、ヘルプ情報を選択するために識別情報は、撮影モードと記録画質形式或いは測光方式との組み合わせに限るものではなく、それら以外の組み合わせに基づくものであってもよい。また、組み合わせのパターンも２つに限るものでなく、それ以上の組み合わせでもよい。
【０１１０】
（第２の実施形態）
図１１は第２の実施形態のデジタル一眼レフカメラを示す背面図である。本実施形態のデジタル一眼レフカメラ１０１は、第１の実施形態で説明したように多数の機能を有するものである。なお、図１１においては、図１、２で説明した構成要素については符号を付すのを省略している。
【０１１１】
このように多数の機能をため、撮影中に様々な機能設定を行うことにより、初期の設定状態からかけ離れた設定状態になりうる。その場合、現在の設定と大幅に異なる操作を行いたいときには、初期の設定状態から必要な設定を行う方が便利で素早く操作ができる。
【０１１２】
そこで、本実施形態のデジタル一眼レフカメラ１０１では、その背面に設定初期化ボタン１０２が設けられている。設定初期化ボタン１０２を押下することで、現在の設定を全て解除し、初期の設定状態に戻すことができる構成となっている。
【０１１３】
具体的例を挙げて説明すると、カメラ１０１において、モードダイヤル７により全自動モード７１もしくはイメージゾーン７２の撮影モードに設定されており、機能設定が、
“記録画質形式：ＪＰＥＧ”  （カメラにより自動設定）
“ＩＳＯ感度：４００”
“ホワイトバランス：オートホワイトバランス”  （カメラにより自動設定）
“現像パラメータ：基準パラメータ”  （カメラにより自動設定）
“ＡＦモード：ＡＩフォーカスＡＦ”  （カメラにより自動設定）
“ＡＦフレーム選択モード：自動選択”  （カメラにより自動設定）
“測光方式：評価測光”：  （カメラにより自動設定）
“露出補正設定：設定なし”：  （カメラにより自動設定）
“セルフタイマーモード：あり”
“カスタムファンクション：設定なし”（カメラにより自動設定）
となっているとする。
【０１１４】
この場合に、設定初期化ボタン１０２を押下することで、
“記録画質形式：ＪＰＥＧ”  （カメラにより自動設定のまま）
“ＩＳＯ感度：オートＩＳＯ”  （変更）
“ホワイトバランス：オートホワイトバランス”  （カメラにより自動設定のまま）
“現像パラメータ：基準パラメータ”  （カメラにより自動設定のまま）
“ＡＦモード：ＡＩフォーカスＡＦ”  （カメラにより自動設定のまま）
“ＡＦフレーム選択モード：自動選択”  （カメラにより自動設定のまま）
“測光方式：評価測光”  （カメラにより自動設定のまま）
“露出補正設定：設定なし”  （カメラにより自動設定のまま）
“セルフタイマーモード：なし”  （変更）
“カスタムファンクション：設定なし”（カメラにより自動設定のまま）
という第１の初期の設定状態に戻る。
【０１１５】
それに対して、モードダイヤル７によりクリエイティブゾーン７０の撮影モードに設定されており、機能設定が、
“記録画質形式：ＲＡＷ”
“ＩＳＯ感度：４００”
“ホワイトバランス：オートホワイトバランス”
“現像パラメータ：マニュアルセット”
“ＡＦモード：ワンショットＡＦ”
“ＡＦフレーム選択モード：任意選択”
“測光方式：部分測光”
“露出補正設定：＋１．０段”
“セルフタイマーモード：あり”
“カスタムファンクション：設定あり”
となっているとする。
【０１１６】
この場合に、設定初期化ボタン１０２を押下することで、
“記録画質形式：ＪＰＥＧ”  （変更）
“ＩＳＯ感度：４００”  （変更なし）
“ホワイトバランス：オートホワイトバランス”  （変更なし）
“現像パラメータ：基準パラメータ”  （変更）
“ＡＦモード：ワンショットＡＦ”  （変更なし）
“ＡＦフレーム選択モード：任意選択”  （変更なし）
“測光方式：評価測光”  （変更）
“露出補正設定：＋０．０段”  （変更）
“セルフタイマーモード：なし”  （変更）
“カスタムファンクション：設定なし”  （変更）
という第２の初期の設定状態に戻る。
【０１１７】
以上説明した設定状態の初期化例は、モードダイヤル７が全自動モード７１もしくはイメージゾーン７２の撮影モードに設定されているときは、ユーザがカメラ操作に熟練していない可能性を考慮し、各種の設定をカメラが自動的に適正な撮影を行えるような第１の初期設定に戻す。それに対して、モードダイヤル７がクリエイティブゾーン７０の撮影モードに設定されているときは、ユーザがある程度カメラ操作に熟練している可能性を考慮し、各種の設定をカメラ任せではなくある程度ユーザの意図が反映されるような第２の初期設定に戻す。
【０１１８】
本実施形態においても、モードダイヤル７により設定された撮影モードを識別情報とする以外に、記録画質形式、ＩＳＯ感度、ホワイトバランス、現像パラメータ、ＡＦモード、ＡＦフレーム選択モード、測光方式、露出補正設定、カスタムファンクションの設定を識別情報としたり、カメラに装着されている付属機器を識別情報としたりしてもよく、それらを組み合わせてもよい。
【０１１９】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【０１２０】
この場合、記憶媒体から読み出されたプログラムコード自体が上述した実施形態の機能を実現することになり、プログラムコード自体及びそのプログラムコードを記憶した記憶媒体は本発明を構成することになる。
【０１２１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１２２】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【０１２３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【０１２４】
【図１】第１の実施形態のデジタル一眼レフカメラを示す斜視図である。
【図２】第１の実施形態のデジタル一眼レフカメラを示す背面図である。
【図３】外部液晶パネルの撮影条件表示部の表示内容を示す図である。
【図４】外部液晶パネルのメニュー表示部の表示例を示す図である。
【図５】外部液晶パネルのヘルプ表示部の表示例を示す図である。
【図６】モードダイヤルを説明するための図である。
【図７】第１の実施形態のデジタル一眼レフカメラの要部の機能構成を示す図である。
【図８】撮影モードごとの撮影機能の組み合わせ一覧を示す図である。
【図９】第１の実施形態におけるヘルプ情報の表示制御例を説明するためのフローチャートである。
【図１０】第１の実施形態におけるヘルプ情報の表示制御例を説明するためのフローチャートである。
【図１１】第２の実施形態のデジタル一眼レフカメラを示す背面図である。
【符号の説明】
【０１２５】
１      カメラ本体
２      交換レンズ
３      レンズ取り外しボタン
４      内蔵ストロボ
５      ファインダー
６      メインスイッチ
７      モードダイヤル
８      電子ダイヤル
１０    レリーズボタン
１１    内蔵ストロボボタン
１２    セルフタイマーボタン
１３    ＡＦフレーム選択ボタン
１４    ＡＥロックボタン
１５    露出補正ボタン
１６    照明ボタン
１７    絞り込みボタン
１８    赤目ランプ
２０    十字キー
２１    セットボタン
２２    メニューボタン
２３    インフォボタン
２４    ジャンプボタン
２５    再生ボタン
２６    消去ボタン
２７    外部メモリカードカバー
３０    外部液晶パネル
３１    撮影条件表示部
３２    メニュー表示部
３３    ヘルプ表示部
１０１  デジタル一眼レフカメラ
１０２  設定初期化ボタン
【図１】
2007142884.tif 000003
【図２】
2007142884.tif 000004
【図３】
2007142884.tif 000005
【図４】
2007142884.tif 000006
【図５】
2007142884.tif 000007
【図６】
2007142884.tif 000008
【図７】
2007142884.tif 000009
【図８】
2007142884.tif 000010
【図９】
2007142884.tif 000011
【図１０】
2007142884.tif 000012
【図１１】
2007142884.tif 000013